(57)【特許請求の範囲】
【請求項１】
レンジフードにおいて、背面板にファンモーター取り付金具を設け、ファンモーター取り付金具にファンモーターを取り付けて、ファンモーターにシロッコファンを脱着容易に設けて、左右側面板間に梁を配設して、照明器具を梁に配設し、ファンモーターと照明器具のコントロールスイッチは食器の扉に配置して、左右側面板にコロガイドレールをとりつけて、コロガイドレールにコロ止めを配置する、と共に、フードとシロッコファンケイシングを一体に成形し、フードシロッコファンケイシングにして、フードシロッコファンケーシングとレンジフード本体が分離されていて、脱着容易な吸気口面を有するフードシロッコファンケイシング上面に複数のコロを配設して、前記コロがレンジフード本体に設置された複数本のコロガイドレールに横行自在に押入され、フードシロッコファンケイシングに空流調整口を設けた曲面整流板を配置している事を特徴とするレンジフード。
【発明の詳細な説明】
【技術分野】
【０００１】
本発明は、調理時に発生する湯気、油分を含む空気等をフード内に捕集し送風機で屋外に排出するレンジフードにおいて、そのフード清掃を楽な姿勢での洗浄に関する。
【背景技術】
【０００２】
特開平７−２９３９５８においては、シロッコファンケーシングの一部とオイルグリッドを下に下げているが、シロッコファンケーシングの多くはレンジフード上奥深い所にあり清浄に手間がかかる。
特開平７−２９３９５８においては、フードは取り外す事は出来るがファンフードの清浄は高い位置での作業であり骨が折れる。
【先行技術文献】
【特許文献】
【０００３】
【特許文献１】特開平７−２９３９５８号公報
【特許文献２】特開２００９−１３８９９０号公報
【発明の概要】
【０００４】
レンジフードをフードシロッコファンケーシングとフードシロッコファンケーシング以外のレンジフード本体とに分離して、シロッコファンモーターと、照明器具と、シロッコファンモーター停止安全スイッチと、照明器具と、シロッコファンモーターのコントロールスイッチと、配線はフードとシロッコファンケーシングとを一体に成型したフードシロッコファンケーシング以外のレンジフード本体に配置し、シロッコファンモーターと、シロッコファンと吸気口面はフードシロッコファンケーシング上面より下の位置で曲面整流板奥正面に配置する、レンジフード右左の側面板それぞれにコロガイドレールとフードシロッコファンケーシングに複数のコロを配置する。
【発明が解決しようとする課題】
【０００５】
レンジフードの頭上清浄作業では洗剤スプレーを使用すると頭や顔に洗剤の霧が降り
掛かる、レンジフード上奥にあるシロッコファンケーシングの清浄はガスレンジ台やIH 
クッキングヒーター台の上に乗り体をよじって行わなければならない、又拭くだけでは綺
麗にならない、本考案はこれらの問題を解決するためのものである。
【課題を解決するための手段】
【０００６】
本願発明の請求項１は、レンジフードにおいて、背面板にファンモーター取り付金具を設け、ファンモーター取り付金具にファンモーターを取り付けて、ファンモーターにシロッコファンを脱着容易に設けて、左右側面板間に梁を配設して、照明器具を梁に配設し、ファンモーターと照明器具のコントロールスイッチは食器の扉に配置して、左右側面板にコロガイドレールをとりつけて、コロガイドレールにコロ止めを配置する、と共に、フードとシロッコファンケイシングを一体に成形し、フードシロッコファンケイシングにして、フードシロッコファンケーシングとレンジフード本体が分離されていて、脱着容易な吸気口面を有するフードシロッコファンケイシング上面に複数のコロを配設して、前記コロがレンジフード本体に設置された複数本のコロガイドレールに横行自在に押入され、フードシロッコファンケイシングに空流調整口を設けた曲面整流板を配置しているレンジフード。
【００１１】
以下図面に基づき説明する。
レンジフード（１）のシロッコファンケーシング（２）吸気口面（３）が止め具により脱着容易に出来る形状にフード（４）とシロッコファンケーシング（２）を一体に成型しフードシロッコファンケーシング（５）にして、止め具による吸気口面（３）の脱着は、吸気口面（３）にボルトが貫通する穴を形成し、フードシロッコファンケーシング（５）に吸気口面（３）の穴に貫通するボルトを配設しナットで吸気口面（３）を取り付けて、吸気口面（３）に突起（９）を設けて、フードシロッコファンケーシング（５）に突起（９）が貫通出来る穴を設ける。
【００１２】
フードシロッコファンケーシング（５）奥の背面板（１５）にファンモーター取り付金具（７）を設け、ファンモーター取り付金具（７）のフードシロッコファンケーシング（５）上面（１２）より低い位置にファンモーター（８）を取り付けて、吸気口面（３）の脱着時に吸気口面（３）の一部の突起（９）がフードシロッコファンケーシング（５）に設けた穴を貫通して、突起（９）により作動する安全スイッチ（１０）を、ファンモーター取り付金具（７）上部を吸気口面（３）上部近く迄遠長し取り付ける。
【００１３】
安全スイッチ（１０）はフードシロッコファンケーシング（５）に設置されているコロ（１１）がコロガイドレール（１３）に設置されたコロ止（１４）迄完全に挿入されていない場合は突起（９）により作動しない構成にする。
【００１４】
レンジフード（１）本体とフードシロッコファンケーシング（５）を分離して、フードシロッコファンケーシング（５）上面（１２）右左に複数のコロ（１１）を配置して、コロ（１１）が回転自在に行き来出来るC形のコロガイドレール（１３）にコロ止め（１４）を配置してコロガイドレール（１３）を右左側面板（１５）にそれぞれ開口部を内向に取り付ける。
【００１５】
右左側面板（１５）間に梁（２２）を設置して、照明器具（１６）を梁（２２）に配設し、ファンモーター（８）と照明器具（１６）用コントロールスイッチ（１７）は食器棚の扉（１８）に配置する。
ファンモーター（８）にシロッコファン（１９）を取り付け、空流調整口（２０）を設けた曲面整流板（２１）をフードシロッコファンケーシング（５）に配置する。
【００１６】
ファンモーター取り付金具（７）に安全留具（２３）を設置して、安全留具（２３）はフードシロッコファンケーシング（５）背面がファンモーター（８）に密着した場合にフードシロッコファンケーシング（５）上部に設けた切り込みに安全留具（２３）に設けたフックが係止して、レンジフード（１）使用可能状態から安全留具（２３）の解除はファンモーター（８）よりシロッコファン（１９）を取り外した後のみにフードシロッコファンケーシング（５）に設けた切り込みより安全留具（２３）のフックを押して解除可能な構成に成っている。
【発明の効果】
【００１７】
シロッコファン（１９）と吸気口面（３）がフードシロッコファンケーシング（５）上面（１２）より下でフードシロッコファンケーシング（５）奥正面に垂直に配置されている事において、空流調整口（２０）を設けた曲面整流板（２１）と同じ高さで吸気口面（３）とシロッコファン（１９）を取り外す事が出来ると共に、フードシロッコファンケーシング（５）内側全体を見わたす事が出来てフードシロッコファンケーシング（５）を取り外す事なしに低い位置で清掃が楽に出来る。
【００１８】
背面板（１５）に取り付けたファンモーター取り付金具（７）にファンモーター（８）と安全スイッチ（１０）が配置され吸気口面（３）に突起（９）を設けた事においてフードシロッコファンケーシング（５）より吸気口面（３）を取り外すと吸気口面（３）の突起（９）が安全スイッチ（１０）より外れてファンモーター（８）電源回路が遮断され清掃時の安全が保たれる。
【００１９】
フードシロッコファンケーシング（５）に配置されたコロ（１１）がコロ止め（１４）迄完全に押込されていない場合は、吸気口面（３）を設置しても突起（９）により安全スイッチ（１０）は作動せず安全が保たれる。
【００２０】
ファンモーター取り付金具（７）に安全留具（２３）が設置されている事において、使用可能状態のフードシロッコファンケーシング（５）を手前に移動する事は不可能であり安全が確保できる。
【００２１】
フードシロッコファンケーシング（５）上部右左に複数のコロ（１１）を配置し、レンジフード（１）の右左側面板（１５）にコロ止め（１４）が装着されたコロガイドレール（１３）が配置してあり、ファンモーター（８）照明器具（１６）のコントロールスイッチ（１７）がフードシロッコファンケーシング（５）以外に設けてある事においてフードシロッコファンケーシング（５）を手前に引き出して取り外して洗浄が出来る。
【図面の簡単な説明】
【００２２】
【図１】レンジフード（１）の正面図、Ａ−Ａ切断線を示す。
【図２】図１Ａ−Ａ線切断部端面図
【図３】レンジフード（１）側面を示すイメージ図
【発明を実施するための形態】
【００２３】
使用可能状態からのレンジフード（１）の清浄は、シロッコファンケーシング（２）とフード（４）を一体に成型したフードシロッコファンケーシング（５）より空流調整口（２０）のある曲面整流板（２１）と突起（９）を設けた吸気口面（３）を取り外すと共に安全スイッチ（１０）は解除され、背面板（６）に配置したファンモーター（８）取り付金具（７）に装着したファンモーター（８）よりシロッコファン（１９）を取り外し、安全留具（２３）を解除する。
【００２４】
レンジフード（１）の右左側面板（１５）間に設置された梁（２２）に照明器具（１６）が配置され、フードシロッコファンケーシング（５）上面（１２）右左に複数のコロ（１１）が取付けてあり、食器棚の扉（１８）に配置されているコントロールスイッチ（１７）と、照明器具（１６）と、ファンモーター（８）と、安全スイッチ（１０）はフードシロッコファンケーシング（５）以外に配置され構成されているので、右左の側面板（１５）に配置されたコロ（１１）ガイドレール（１３）に装着されているコロ止め（１４）を解除して、フードシロッコファンケーシング（５）を手前に引き出し取り外して流浄して、外した部品は外した順序の逆の順に取り付けて使用可能状態にする。
【産業上の利用可能性】
【００２５】
フードシロッコファンケーシング（５）に取り付ける部品とフードシロッコファンケーシング（５）を耐熱性合成樹脂や複合炭素繊維で成形し使用する事で、形状は単純で軽量にもなりコロガイドレール（１３）とコロ（１１）によりフードシロッコファンケーシング（５）をレンジフード（１）より引き出し取り外して行う洗浄時の取り扱いも、高年齢者にも楽に出来て使用可能性は高いと思われる。
【符号の説明】
【００２６】
１  レンジフード
２  シロッコファンケーシング
３  吸気口面
４  フード
５  フードシロッコファンケーシング
６  背面板
７  ファンモーター取り付金具
８  ファンモーター
９  突起
１０  安全スイッチ
１１  コロ
１２  上面
１３  コロガイドレール
１４  コロ止め
１５  側面板
１６  照明器具
１７  コントロールスイッチ
１８  扉
１９  シロッコファン
２０  空流調整口
２１  曲面整流板
２２  梁
２３  安全留具
【図１】
0005861836.tif 000002
【図２】
0005861836.tif 000003
【図３】
0005861836.tif 000004